(57)【要約】【課題】  含塵空気を水中に放出し、発生する気泡と水とを接触させて空気浄化を図る従来の湿式集塵装置の場合、気水接触面積を大きくするため気泡を細分化する破泡の必要があった。しかし細分化された気泡は水が汚濁されると、水泡被膜の粘度が増し破れにくくなる。ところが従来、この破泡と消泡をうまくコントロールすることができなかった。【解決手段】  水を貯留する容器と、該容器の上面開口を覆う排気ユニットと、該排気ユニットに固定され該容器内に垂下して水面下に開口させた吸込パイプと、該吸込パイプに介在させ吸引力を発生させる吸引力発生装置と、該吸込パイプの外周に通水路を形成するために配置され下端開口を該吸込パイプの下端開口よりも延出させるとともに水面上に排水口を設けた筒体と、該排水口の上方で該筒体に固定された遮蔽板と、を備え、該筒体に設けた該排水口と該容器内の水面との間に水泡捕捉手段が配設される。 【選択図】  図１
2010120007.tif 000002
【特許請求の範囲】
【請求項１】
水を貯留する容器と、
該容器の上面開口を覆う排気ユニットと、
該排気ユニットに固定され該容器内に垂下して水面下に開口させた吸込パイプと、
該吸込パイプに介在させ吸引力を発生させる吸引力発生装置と、
該吸込パイプの外周に通水路を形成するために配置され下端開口を該吸込パイプの下端開口よりも延出させるとともに水面上に排水口を設けた筒体と、
該排水口の上方で該筒体に固定された遮蔽板と、
を備え、該筒体に設けた該排水口と該容器内の水面との間に水泡捕捉手段が配設されていることを特徴とする湿式集塵装置。
【発明の詳細な説明】
【技術分野】
【０００１】
本発明は、含塵空気を吸引して装置内の水に接触させ、それによって集塵する湿式集塵装置の構造に関する。
【背景技術】
【０００２】
従来この種の湿式集塵装置として、例えば特許文献１から４に記載されたものが知られている。特許文献１のものは、水溜めを備え、集塵ヘッドからの吸引空気を案内する案内管の端部に設けられ吸引空気を水中に誘導する開口部に装着された破泡フィルターで吸引された空気流の大きい泡を細かい泡に砕くようになっている。特許文献２のものは、吸込ダクトを本体部の内周壁と接しない位置まで内方へ突設して吸込ダクトの先端部を四方が集塵用水で囲まれる水面下へ水没させ、この吸込ダクトの先端部の周囲で水面に近い水面下に含塵空気の気泡が通過する穴明板を水没配設した構造となっている。特許文献３のものは、吸引された特殊ごみを気泡内に閉じ込める気泡化手段と、気泡を強制的に破壊して特殊ごみを水分に付着させて分離除去する分離手段が装備された構造となっている。特許文献４のものは、沈澱槽内で発生した泡を隣接の循環槽へ流入させ、この循環槽内へ落下する水によって消泡させる構造となっている。
【先行技術文献】
【特許文献】
【０００３】
【特許文献１】特開平１０−１２８０３３
【特許文献２】特開２０００−３２５７２５
【特許文献３】特開平１０−２７２４３０
【特許文献４】特開平５−３３７３７７
【発明の概要】
【発明が解決しようとする課題】
【０００４】
ところで、含塵空気を吸引して水中に放出すると含塵空気は気泡になって水中を上昇して水面から大気中に放散される。この気泡と水との接触が行われるときに気泡表面の塵が含水もしくは親水化するので水中に拡散して集塵することができる。この集塵が進行すると水の濁度が高くなって粘性も高まり消泡されにくくなり、水面では大小さまざまの「水泡」が発生する（なお以下、水中のみに存在する空気の粒を気泡、水面等に存在し水被膜を備えた粒を水泡、と呼ぶこととする）。この水泡の発生量は濁度に比例して発生するのでこの種の装置にあっては消泡が課題となっている。
【０００５】
特許文献１のものは、水面で発生した水泡が徐々に多くなると塊状になって水しぶき防止フィルターを通過して紙パックフィルターにまで到達しフィルター機能が低下してしまう問題がある。特許文献２のものは、水面で発生した水泡が徐々に多くなると塊状になって本体内を上昇し、一部の水泡が塊から離脱して排気流に乗って排風装置に吸い込まれ、汚れの付着や漏電事故などを起こす問題がある。特許文献３のものは、発生した水泡を遠心分離機で消泡できるが装置が大型化してしまう問題がある。特許文献４のものは、循環槽の水面に浮遊する水泡を落下する水で消泡するものであるが、水泡は水面で遊動しているので落下する水が当たっても逃げてしまい円滑な消泡ができない問題がある。
【０００６】
本発明は上記のような事情に基づいて完成されたものであって、その目的は、低コストで小型軽量でありながら、水泡発生に起因する諸問題が一掃された湿式集塵装置を提供するところにある。
【課題を解決するための手段】
【０００７】
上記の目的を達成するための手段として、水を貯留する容器と、該容器の上面開口を覆う排気ユニットと、該排気ユニットに固定され該容器内に垂下して水面下に開口させた吸込パイプと、該吸込パイプに介在させ吸引力を発生させる吸引力発生装置と、該吸込パイプの外周に通水路を形成するために配置され下端開口を該吸込パイプの下端開口よりも延出させるとともに水面上に排水口を設けた筒体と、該排水口の上方で該筒体に固定された遮蔽板と、を備え、該筒体に設けた該排水口と該容器内の水面との間にフィルターを具備する水泡捕捉手段が配設されている構成とした。
【０００８】
即ち本発明装置は、水を貯留する容器、排気ユニット、吸込パイプ、吸引力発生装置、筒体、遮蔽板、及び水泡捕捉手段、を備えるものであって、吸引力発生装置を駆動させると、吸込パイプを経て容器内に貯留された水中に含塵空気が吐出され、水泡が筒体内を上昇し、水面よりも高い位置に設けられた排水口から放出され、この水泡が水面に落ちる前に一旦水泡捕捉手段に捕捉され、ここに配置されたフィルターにて塵等を付着させ、空気の浄化を図るものである。
【０００９】
そのため「筒体」は、吸込パイプの外周に配置される。また、吸込パイプ外周面と筒体内周面との間には、通水路が形成される。更に、筒体の下端開口は、吸込パイプの下端開口よりも下方まで延出させる。そして筒体上部の水面よりも高い位置には排水口が放射方向に刻設されている。
【００１０】
「水泡捕捉手段」は、容器の内部であって、且つ、容器に貯留される水の水面よりも上方位置に配置される構造部分である。筒体の排水口から放出される水泡混じりの水を受け止めると共に、個々の水泡を一旦把持したら容易には移動させないという機能を具備している。この機能を具備するための具体的な構造については特に限定するものではなく、例えば金網、パンチングメタル、といった構造が典型的なものである。
【００１１】
またこの水泡捕捉手段は、筒体から放出された水と水泡のうち、水は通過させ水泡は付着保持するフィルターを有する。このフィルターによって移動が規制された塵埃混じりの水泡は、筒体の排水口から放出される水の直撃を受けて消泡（破裂）し、内部の塵埃が空気と共に周囲に飛散して消失する。そのときに飛散した塵埃は、一部が落水に直接接触し、他は一旦、フィルターに付着して捕捉されたのち落水によって洗い流され容器の水中に移動する。
【発明の効果】
【００１２】
容器内の水中に吐出された含塵空気は、水泡となって筒体内の通水路を上昇し、水面から離れた位置にある水泡捕捉手段に放出され、ここで水泡が壊れ、水泡内の塵埃は水噴霧された状態となる。そして水泡捕捉手段が設けられたフィルターがこの塵埃を吸着することになる。
従って本発明に係る湿式集塵装置は、容器内に貯留された水に気泡を吐出させることで気水接触させて集塵を図る従来の方法とは異なり、
（１）  気泡を細分化させる必要がない。
（２）  気泡を細分化しなくて済むため、発生した水泡が壊れにくいという問題が生じにくい。
という特徴を有している。
また、水中に吐出された空気は、筒体内の通水路を伝って上昇するので、大きい塵や重量のある塵は水中に残すこととなるが、水質悪化の原因となる微細な塵に関しては、水泡に閉じ込められたままで、水面から離れた水泡捕捉手段上に放出されることになる。よって、
（３）  容器内に貯留する水の汚濁速度が小さくなるため、汚濁水廃棄の頻度が小さくなる。
更に本発明装置の場合には、駆動源と容器以外の全部材、即ち、排気ユニット、吸込パイプ、筒体、遮蔽板、水泡捕捉手段を、縦積みされた一体構造としやすいので、貯留水やフィルターの交換、塵埃の除去といったメンテナンスのための分離作業を容易にしやすいこと、小型化・軽量化が図りやすい、といった副次的な効果も期待できる極めて高度な発明である。
【図面の簡単な説明】
【００１３】
【図１】本発明の一実施形態に係る湿式集塵装置の内部構造を示す概略断面図
【図２】２分割された状態の概略断面図
【図３】運転開始時の状態の概略断面図
【図４】集塵作業の終了間近の状態の概略断面図
【図５】吸込みパイプユニットの斜視図
【図６】排気ユニットの斜視図
【図７】筒体ユニットの斜視図
【図８】容器の斜視図
【発明を実施するための形態】
【００１４】
以下本発明を実施例に基づいて詳細に説明する。
【実施例１】
【００１５】
図１ないし図８は、本発明の実施例の一つを示すものである。
図１および図８に示す如く、上面開口の円柱状の容器１０の上面開口に、同形状の底部を有する排気ユニット１１が装着されている。容器１０と排気ユニット１１とは、図示しない金具によって締着されている。排気ユニット１１は、図６に示すごとく金属板製の蓋１２と内部に着脱自在に装着される不織繊維やウレタンなどを素材としたドーナツ形状のフィルター１３とから構成されている。蓋１２は、上面板１２Ａと側面板１２Ｂ、および底面板１２Ｃからなり、側面板１２Ｂには多数の通風穴１２Ｄが、底面板１２Ｃの中心には大径の底穴１２Ｅがそれぞれ穿設されている。フィルター１３は伸縮自在であって底穴１２Ｅから着脱される。上面板１２Ａには、吸込パイプ１４を嵌挿するためのリング金具１５が金具１５Ａ、１５Ｂで構成されて締付け固定されている。金具１５Ｂの貫通孔の内径寸法は、吸込パイプ１４の外径寸法よりも僅かに大きく（例えば０．２から０．３ｍｍ位大きく）するのがよい。
【００１６】
また、上面板１２Ａには、金具１５Ｂの貫通孔と同心軸で開けた穴１２Ｆにボルト１６で取り付けられた筒体１７が垂下している。図７に示す如く筒体１７は、円筒状で上方端部にはフランジ１７Ａが形成されボルト１６で固定されるようになっている。
【００１７】
筒体１７の全長は、上面板１２Ａから容器１０の開口端までの寸法と、容器１０の開口端よりも所定寸法Ｌ１下方に設定した水面Ｌ０のレベルより下方位置で水深の略中間レベルＬ２とを合算した寸法に設定されている。また、水面Ｌ０の上方Ｌ３のレベルを中心軸にして全方位に排水口１７Ｃが穿設されている。排水口１７Ｃの上端付近には、遮蔽板１８が筒体１７の外壁に固定されている。遮蔽板１８は、円盤状で容器１０の内径よりも小径であり、図示しないが下面には下方に延びるリブが外方向に幾重にも形成されていて、排水口１７Ｃから噴射した水が接触すると下方に落とせるようになっている。排水口１７Ｃの下端付近には、水泡捕捉手段１９が配設されている 。
【００１８】
水泡捕捉手段１９は、円盤状で容器１０の内径よりも僅かに小径の多孔板１９Ａと同径でポリ塩化ビニリデン繊維を立体的に交錯させ交点を強固に点接着させた濾材フィルター（武蔵野技研株式会社  商品名；クレハロンロック  厚さ約５０ｍｍ）１９Ｂで構成されている。多孔板１９Ａは筒体１７の外壁に固定され、濾材フィルター１９Ｂは筒体１７の外壁に固定された保持具２０でもって支持されている。濾材フィルター１９Ｂは、ドーナツ形状であって中穴を拡げて装着でき汚れた場合に交換できるようになっている。
【００１９】
吸込パイプ１４は、図５に示す如くＬ字状のパイプで垂直に延びる部分が筒体１７内に挿入されるものであって、筒体１７の内径よりも小径寸法に設定され、この間隙は通水路２４を形成している。また、垂直部の下端開口１４Ａは開放されており、小石や金属片などの比較的大きな塵が吸込まれたときに直接水中に放出できるようになっている。また、下端開口１４Ａから所定寸法上方位置Ｌ５には、全方位かつ複数段に亘って小径の孔１４Ｂが穿設されている。この複数の孔１４Ｂは、吸込まれた含塵空気を水中水平方向に放出するためのものである（以下、下端開口１４Ａと複数の孔１４Ｂを総称して下端開口部１４Ｃと記述する）。また、垂直部の上方には、位置決め部材であるストッパ１４Ｄが吸込パイプ１４の外径を内径寸法とするドーナツ状で形成され固着されている。ストッパ１４Ｄの固着位置は、筒体１７の下端開口１７Ｂから所定寸法上方位置Ｌ４に下端開口１４Ａが臨むようにされている。ストッパ１４Ｄの下端面には、図示しないがＯリングが装着されており、金具１５Ｂに当接して水漏れを防ぐようになっている。
【００２０】
吸込パイプ１４の水平部には、吸込パイプ１４に含塵空気を吸込ませるための吸引力発生装置２１が介在されている。吸引力発生装置２１には、空気量調整バルブ２２が介在された高圧空気管２３が接続されており、高圧空気管２３から高圧空気が吸引力発生装置２１に供給されると、内部に設けられた細口から吸込パイプ１４の下端開口１４Ａ側に向かって噴射され、ベンチェリー効果によって負圧が発生して吸込パイプ１４に吸引力が付与される。ここで吸引力発生装置２１の上流側には負圧が発生するが、下流側には高圧空気が供給されているので大気圧よりも高い圧力となって下端開口１４Ａから放出される。従って、含塵空気が排気ユニット１１から排気されるまでの通風路は大気圧よりも高い圧力状態となっている。
【００２１】
吸込パイプ１４がＬ字状に形成されているのは、金具１５Ｂの貫通孔に挿入し、この貫通孔との微小なクリアランスを利用して３６０度の回転を可能にさせ、接続口１４Ｅに接続されるホース（図示省略）を引き回して使用できるようにするためである。
【００２２】
続いて、運転の作動を説明する。
図２に示す如く、排気ユニット１１には、筒体１７と水泡捕捉手段１９、および遮蔽板１８が組み付けられた上に吸込パイプ１４が装着されているので、排気ユニット１１を持ち上げれば一つのユニットとして容器１０から分離できる。この状態で、容器１０に刻設されている標準水位線まで水を入れたのち、排気ユニット１１を容器１０内に入れ、図示しない締め付け金具で排気ユニット１１と容器１０を締着する。
【００２３】
次に、空気量調整バルブ２２で調整された高圧空気を高圧空気管２３から吸引力発生装置２１に供給すると、負圧が発生して吸込パイプ１４に吸引力が付与される。即ち、吸引力発生装置２１の上流側の吸込パイプ１４および図示しないホースには負圧が発生し、下流側には高圧空気の噴射によって大気圧よりも高い空気流が発生する。そのときの状態図を図３に示す。
【００２４】
図３において、吸込パイプ１４に吸込まれた含塵空気は、吸込パイプ１４の下端開口部１４Ｃから通水路２４の水中に吐出される。下端開口部１４Ｃの複数の孔１４Ｂから吐出された含塵空気は、一旦は下降するが浮力によって上昇する。その際、筒体１７の下端開口１７Ｂは吸込パイプ１４の下端開口部１４Ｃよりも水中深い位置にあるので、含塵空気の大部分が、筒体１７の中に残ったままということになる。従って、多数の水泡となって通水路２４内を上昇することになる。含塵空気の吐出は連続的になされるので、通水路２４内は多数の水泡で満たされることになり、後続の水泡に押される形で上方の水泡は、やがて排水口１７Ｃから放出されることになる。
【００２５】
下端開口部１４Ｃから吐出された水泡は、排水口１７Ｃから出た段階でおおかたは破れるが、一部は被膜を維持したまま（即ち水泡のまま）放出される。
【００２６】
排水口１７Ｃから通風路２５内に吐出された空気には、塵が含まれている。しかし、含塵空気は全て、直前まで水泡被膜に閉じ込められていたわけであるので、自身又は後続の水泡が破れる際に放射される微細な水滴がミスト化し、塵を核にミストが凝集して水滴となり、自重で水泡捕捉手段１９に落ちる。こうして含塵空気は、矢印で示すように遮蔽板１８と水泡捕捉手段１９との間を水平方向に移動し、遮蔽板１８と容器１０との間に形成された間隙を通る過程でほとんど清浄化され、排気ユニット１１のフィルター１３で微細な塵が全て除去され通風穴１２Ｄから清浄な空気となって放出される。
【００２７】
一方、排水口１７Ｃから通風路２５に吐出された含塵水は、勢いのある一部が遮蔽板１８に衝突して落水し、他は大矢印の如く水泡捕捉手段１９上に散水される。
【００２８】
水泡捕捉手段１９上に放出される水の一部は、通水路２４内で発生した水泡が排水口１７Ｃから吐出されるときに破裂されないままであるが、この水泡は、多孔板１９Ａの孔や濾材フィルター１９Ｂの網目に捕捉されている。水泡の大きさは、吐き出されたのちに幾つかの水泡が合体して大きくなったものや吐き出されたときと同じで小さなものもある。小さな水泡で多孔板１９Ａの孔を通過したものは濾材フィルター１９Ｂの網目に捕捉されている。また、含塵水には、紙屑や塗膜片および樹脂片などの比重の軽いゴミも含まれている場合があり、これらのゴミの中で多孔板１９Ａの孔を通過できないものは多孔板１９Ａ上に載置されたまま残ることになるが、除去しやすく保守は容易である。
【００２９】
破裂せず水泡捕捉手段１９に捕捉される水泡の量は、容器１０内の水の汚れに比例して多くなる。水の汚れは、含塵空気が気水接触することで汚濁成分が水側に移動することで促進されるわけであるが、本発明装置の場合には、水中に多数の気泡を放出させるという手法を採用せず、水中に吐出される空気を、素早く筒体１７の通水路２４内に導入させ、この通水路２４内に存在する水で気水接触されるもののこの水は水泡となって排水口１７Ｃから放出される。従って、最も汚濁する通水路２４内の水の大部分は、容器１０内の水に混じることなく排出される（厳密には排出されるのではなく、濾材フィルター１９Ｂを通過して容器１０内に還り、循環する）ので、水の汚濁速度は小さい。故に、破裂せず水泡捕捉手段１９に捕捉される水泡の量は、容器１０内の水の汚れに比例して多くなるとはいえ、汚れにくいものとなっている。またこの水泡捕捉手段１９によって移動が規制された塵埃混じりの水泡は、筒体１７の排水口１７Ｃから放出される水の直撃を受けて消泡（破裂）し、内部の塵埃が空気と共に周囲に飛散して消失する。そのときに飛散した塵埃は、一部が落水に直接接触し、他は一旦、濾材フィルター１９Ｂに付着して捕捉されたのち落水によって洗い流され容器１０の水中に移動する。
【００３０】
集塵が継続されると、容器１０の底部には塵が汚泥となって堆積し、その体積増加に伴って水位も上昇する。この水位上昇や汚泥の堆積状態を図示しない水位センサや覗き窓で検知して集塵作業を中止し、図２に示すように排気ユニット１１その他を容器１０から分離して、それぞれの清掃を行う。この清掃作業は、容器１０に関しては本例の場合、凝集剤を投入して攪拌して上層水は排水し、凝固汚泥は産廃処理をするようにしたが、水全量を一旦取りだし、本発明装置外の水処理設備に処理を任せるようにしても良い。また、排気ユニット１１その他側については、水泡捕捉手段に捕捉されている大きなゴミは、刷毛などで取り除き水洗いし、フィルター１３と濾材フィルター１９Ｂは交換或いは洗浄することになる。
【００３１】
以上説明したように本実施形態によれば、吸い込まれた含塵空気が容器内の貯留水を直接攪拌することなく、水泡となって通水路２４を上昇し、その過程で塵を通水路２４内の水に接触して濁水とし、濁水被膜となった水泡を水面上で捕捉させ、濾材フィルター１９Ｂで濾過させ、水面に落下させることとなる。
【実施例２】
【００３２】
本発明は実施例１に限定されるものではなく、例えば次のような実施形態も本発明の技術的範囲に含まれる（これらを実施例２として列挙する）。勿論、下記以外にも要旨を逸脱しない範囲内で種々変更して実施することができる。
（１）吸込みパイプと筒体の２重管で通水路を例示したが、１つの通路を仕切り板で区切った対面路を形成して、吸込み路と通水路を構成してもよい。
（２）通水路の中間には排水口を設けただけであるが、更に排水口の上方の通水路を遮断するための部材を配置してもよい。
（３）筒体の下端開口から水が吸込まれるようにしたが、下端開口を閉鎖して下端側部を開口させても良い。
（４）吸引力発生装置は、エアーコンプレッサーに限らず、電動式ファンで吸引力を発生させるものを用いてもよい。
【符号の説明】
【００３３】
１０     容器
１１     排気ユニット
１２     蓋
１３     フィルター
１４     吸込パイプ
１５     リング金具
１６     ボルト
１７     筒体
１８     遮蔽板
１９     水泡捕捉手段
２０     保持具
２１     吸引力発生装置
２２     空気量調整バルブ
２３     高圧空気管
２４     通水路
２５     通風路
【図１】
2010120007.tif 000003
【図２】
2010120007.tif 000004
【図３】
2010120007.tif 000005
【図４】
2010120007.tif 000006
【図５】
2010120007.tif 000007
【図６】
2010120007.tif 000008
【図７】
2010120007.tif 000009
【図８】
2010120007.tif 000010